(57)【特許請求の範囲】
【請求項１】
複数の患者を識別するための患者識別情報に関連付けて、患者の氏名の漢字および前記氏名の読み仮名を示す氏名情報を前記患者の氏名の名字部分および名前部分に分割して記憶する患者情報記憶部と、
前記患者情報記憶部に記憶されている氏名情報を比較して、名字部分の漢字および読み仮名の少なくとも一方が一致する氏名情報に関連付けて記憶されている患者識別情報を取得するとともに、名字部分および名前部分の漢字および読み仮名の少なくとも一方が一致する氏名情報に関連付けて記憶されている患者識別情報を取得する制御部と、
同姓の患者および同姓同名の患者を一覧表示する表示部と、
前記制御部により取得された患者識別情報のうち、名字部分の漢字および読み仮名の少なくとも一方が一致する氏名情報の名字部分を通常と異なる第一の方法で表示し、名字部分および名前部分の漢字および読み仮名の少なくとも一方が一致する氏名情報の名字部分については前記第一の方法で表示して、名字部分および名前部分の漢字および読み仮名の少なくとも一方が一致する氏名情報の名字部分および名前部分を通常と異なり、前記第一の方法とも異なる第二の方法で表示するとともに、名字部分が一致する氏名情報を並べて前記表示部に一覧表示させる表示制御部と、
を備えたことを特徴とする氏名表示装置。
【発明の詳細な説明】
【技術分野】
【０００１】
本発明は、病院や介護施設などで患者や被介護者からの要求に応じて看護師や介護者を呼び出すナースコールシステムのナースコール親機にて入院している患者の氏名を一覧表示する氏名表示装置に関する。
【背景技術】
【０００２】
従来、病院や介護施設などに設置されるナースコールシステムでは、患者や被介護者（以下、まとめて患者と記載する）の近辺（例えば、ベッド近傍など）に設置されたナースコール子機と看護師や介護者（以下、まとめて医療従事者と記載する）の居るスタッフルームなどに設置されたナースコール親機とを有線や無線などにより接続している。このように構成されたナースコールシステムでは、患者がナースコール子機に設けられた呼出操作部を操作することによって、ナースコール親機に設けられた報知部が動作し、患者が医療従事者を呼び出すことができる。医療従事者は、ナースコール親機に設けられたハンドセットをオフフックして応答を行うとともに、患者と通話を行うことができる。
【０００３】
ところで、ナースコールシステムでは、ナースコール親機をパーソナルコンピューターにより構成し、パーソナルコンピューターの表示ディスプレイに入院している患者の氏名を病院内のレイアウトなどに従って一覧表示することが知られている。
【０００４】
このように構成された表示ディスプレイ（以下、氏名表示装置と記載する）を医療従事者が閲覧する場合、ある患者について名字の漢字や読み仮名が同一である同姓の患者や、名字および名前の漢字や読み仮名が同一である同姓同名の患者が存在することがある。このような患者が存在すると、医療従事者は、患者の名字や患者の名字および名前によって患者を識別することが多いため、患者の名字や名前だけで患者を特定すると、患者の取り違えを起こしてしまうことがある。そこで、このようなことを未然に防ぐために、ある患者について同姓の患者や同姓同名の患者が存在する場合に、両者の一致する部分の表示を一致する患者が存在しない場合の表示と異ならせる技術が知られている（例えば、特許文献１など）。
【０００５】
この特許文献１に記載の技術では、ある患者について同姓の患者や同姓同名の患者が存在する場合に、両者の一致する部分の表示を一致する患者が存在しない場合の表示と異ならせているため、ある患者について同姓の患者と同姓同名の患者との両方が存在した場合に、同姓同名の患者が存在することを分かり易く表示することはできるものの、名字だけが一致する患者が存在することは表示することができないという問題があった。
【０００６】
このような問題を解決するために、図３に示すように、同姓の患者が存在すること、および、同姓同名の患者が存在することを別々に表示することが考えられる。この従来技術では、同姓の患者については、同姓表示欄にベッド番号とともに患者の氏名（漢字）および患者の氏名（読み仮名）を一覧表示している。
【０００７】
また、同姓同名の患者については、同姓同名表示欄にベッド番号とともに患者の氏名（漢字）および患者の氏名（読み仮名）を一覧表示している。ここで、同姓および同姓同名の判断は、漢字および漢字の読み仮名の少なくとも一方の一致により判定される。
【０００８】
例えば、「タナカ」の姓である患者は、ベッド番号「１０１−１」の氏名（漢字）「田中  ×美」、ベッド番号「１０２−１」の氏名（漢字）「田中  △男」、ベッド番号「１０３−２」の氏名（漢字）「田中  □郎」、ベッド番号「２０４−３」の氏名（漢字）「田中  □郎」、ベッド番号「３０１−２」の氏名（漢字）「田中  □朗」の５名が同姓であるとして、同姓表示欄にまとめて表示されている。また、「サトウ」の姓である患者は、ベッド番号「１０１−２」の氏名（漢字）「佐藤  △子」、ベッド番号「１０４−４」の氏名（漢字）「佐藤  ×太」、ベッド番号「２０１−１」の氏名（漢字）「佐藤  ×太」の３名が同姓であるとして、同姓表示欄にまとめて表示されている。
【０００９】
一方で、氏名（読み仮名）が「タナカ  シカクロウ」である患者は、ベッド番号「１０３−２」の氏名（漢字）「田中  □郎」、ベッド番号「２０４−３」の氏名（漢字）「田中  □郎」、ベッド番号「３０１−２」の氏名（漢字）「田中  □朗」の３名が同姓同名であるとして、同姓同名表示欄にまとめて表示されている。また、氏名（読み仮名）が「サトウ  バツタ」である患者は、ベッド番号「１０４−４」の氏名（漢字）「佐藤  ×太」、ベッド番号「２０１−１」の氏名（漢字）「佐藤  ×太」の２名が同姓同名であるとして、同姓同名表示欄にまとめて表示されている。
【先行技術文献】
【特許文献】
【００１０】
【特許文献１】特開２００８−２７６３７４号公報
【発明の概要】
【発明が解決しようとする課題】
【００１１】
しかしながら、上述した従来技術では、同姓表示欄と同姓同名表示欄とが別々に設けられているため、表示される患者氏名が無駄に増えてしまうという問題があった。また、複数の同姓患者が存在する場合に、ある患者について同姓同名の患者が存在するときには、同姓の患者の表示と同姓同名の患者の表示との間に別の同姓の患者の表示が存在するため、表示が見難くなってしまうという問題があった。
【００１２】
本発明は、このような問題を解決するために成されたものであり、同姓の患者と同姓同名の患者が存在する場合に、表示される患者氏名を増やさないようにすることができるようにするとともに、複数の同姓患者が存在する場合に、ある患者について同姓同名の患者が存在するときでも、表示を見易くすることができるようにすることを目的とする。
【課題を解決するための手段】
【００１３】
上述した課題を解決するために、本発明では、複数の患者を識別するための患者識別情報に関連付けて、患者の氏名および患者の氏名の読み仮名を示す氏名情報を患者の名字部分および名前部分に分割して記憶しておき、複数の患者のうち、患者の氏名の名字部分の漢字および読み仮名の少なくとも一方が一致する患者の氏名の名字部分を通常と異なる第一の方法で表示し、患者の氏名の名字部分および名前部分の漢字および読み仮名の少なくとも一方が一致する氏名情報の名字部分については前記第一の方法で表示して、名字部分および名前部分の漢字および読み仮名の少なくとも一方が一致する氏名情報の名字部分および名前部分を通常と異なり、前記第一の方法とも異なる第二の方法で表示するとともに、名字部分が一致する氏名情報を並べて一覧表示するようにしている。
【発明の効果】
【００１４】
上記のように構成した本発明によれば、同姓の患者の氏名および同姓同名の患者の氏名が並べて表示されるので、表示される患者氏名を重複させないようにすることができ、表示される患者氏名を増やさないようにすることができる。また、同姓の患者の氏名の名字部分が第一の方法で表示され、同姓同名の患者の氏名の名字部分および名前部分が第二の方法で表示されるので、複数の同姓患者が存在する場合に、ある患者について同姓同名の患者が存在するときでも、同姓の患者と同姓同名の患者の氏名とがまとめて表示されるので、他の患者の氏名が混在して見難くなることがなくなり、表示を見易くすることができる。
【図面の簡単な説明】
【００１５】
【図１】本実施形態による氏名表示装置の構成例を示すブロック図である。
【図２】本実施形態による氏名表示装置の表示例を示す図である。
【図３】従来の同姓および同姓同名の患者が存在した場合の表示例を示す図である。
【発明を実施するための形態】
【００１６】
以下、本発明の一実施形態を図面に基づいて説明する。図１は、本実施形態による氏名表示装置の構成例を示すブロック図である。図１に示すように、本実施形態による氏名表示装置は、制御部２、インターフェース３、患者情報記憶部４、表示制御部５、表示部６を備えて構成されている。ここで、本実施形態による氏名表示装置は、ナースコールシステムなどの複数の患者の氏名を表示するシステムに使用可能である。このようなシステムでは、患者の取り違えを防止する必要があるため、同姓の患者が存在すること、および、同姓同名の患者が存在することを医療従事者に把握させる必要がある。
【００１７】
制御部２は、氏名表示装置１の各構成要素を後述するように制御するためのものであり、ＣＰＵ（Central Processing Unit）などにより構成されている。インターフェース３は、別途設けられた患者情報データベースなどから患者情報を取得する。ここで、患者情報は、患者が入院したタイミングなどで取得される。また、患者情報としては、少なくとも患者の氏名の漢字およびその氏名の読み仮名を示す氏名情報を含む。また、氏名情報は、氏名の名字部分と名前部分とに分割可能である。なお、本実施形態では、氏名表示装置１がインターフェース３を備え、外部から患者情報を取得するようにしているが、これに限定されない。例えば、氏名表示装置１に患者情報を入力するための操作部（図示せず）を設け、後述する患者情報記憶部４に入力した患者情報を記憶させるようにしても良い。
【００１８】
患者情報記憶部４は、インターフェース３が取得した氏名情報を記憶する。ここで、氏名情報は、その氏名の患者を他の患者と識別するための患者識別情報に関連付けて患者情報記憶部４に記憶される。患者識別情報としては、患者が居るベッドのベッド番号などが用いられる。また、氏名情報は、患者の氏名の漢字およびその氏名の読み仮名を名字部分と名前部分とに分割して患者情報記憶部４に記憶される。これにより、同姓や同姓同名の患者であっても、ベッド番号により識別することが可能となる。
【００１９】
上述したように、患者情報記憶部４に複数の患者の氏名情報が記憶されると、制御部２は、同姓の患者が存在するか否か、および、同姓同名の患者が存在するか否かを判定する。ここで、同姓の患者とは、氏名情報における名字部分の漢字および名字部分の読み仮名の少なくとも一方が一致する複数の患者である。また、同姓同名の患者とは、氏名情報における名字部分の漢字および名字部分の読み仮名の少なくとも一方が一致し、かつ、氏名情報における名前部分の漢字および名前部分の読み仮名の少なくとも一方が一致する患者である。
【００２０】
制御部２の判定により、氏名情報における名字部分の漢字および名字部分の読み仮名の少なくとも一方が一致する患者が存在した場合には、制御部２は、その患者の氏名情報に名字部分が一致していることを示す（換言すると、同姓であることを示す）フラグを付す。
【００２１】
また、制御部２の判定により、氏名情報における名字部分の漢字および名字部分の読み仮名の少なくとも一方が一致し、かつ、氏名情報における名前部分の漢字および名前部分の読み仮名の少なくとも一方が一致する患者が存在した場合には、制御部２は、その患者の氏名情報に名字部分および名前部分が一致していることを示す（換言すると、同姓同名であることを示す）フラグを付す。そして、制御部２は、名字部分が一致していることを示すフラグが付された氏名情報をグループ化する。ここで、同姓同名の患者は、常に同姓の患者となるため、同姓同名の氏名情報は、常に同姓の氏名情報のグループに含まれることになる。
【００２２】
このように、フラグが付され、グループ化された氏名情報は、患者情報記憶部４に上書き記憶される。表示制御部５は、表示部６へ表示される画面を生成するためのものであり、同姓、同姓同名表示欄を表示部６へ表示させる。表示部６は、表示ディスプレイなどにより構成されており、表示制御部５にて生成された画面を表示する。
【００２３】
表示制御部５は、同じグループに属する氏名情報を表示部６の同姓、同姓同名表示欄へ一覧表示する。ここで、表示制御部５は、名字部分が一致するフラグを付された氏名情報の名字部分を通常の表示方法と異なる第一の表示方法で表示させる。一方、表示制御部５は、名字部分および名前部分が一致するフラグを付された氏名情報の名字部分および名前部分を通常の表示方法と異なる第二の表示方法で表示させる。このとき、同姓同名の氏名情報については、その名字部分が常に第一の表示方法で表示される。
【００２４】
次に、同姓、同姓同名表示欄の具体的な表示について説明する。図２に示すように、表示部６に表示される同姓、同姓同名表示欄は、氏名情報における名字部分の漢字の「田中」および氏名情報における名前部分の読み仮名の「タナカ」の姓である第一のグループとして、ベッド番号「１０１−１」の氏名（漢字）「田中  ×美」、ベッド番号「１０２−１」の氏名（漢字）「田中  △男」、ベッド番号「１０３−２」の氏名（漢字）「田中  □郎」、ベッド番号「２０４−３」の氏名（漢字）「田中  □郎」、ベッド番号「３０１−２」の氏名（漢字）「田中  □朗」の５名が表示される。
【００２５】
このとき、氏名情報における名字部分の漢字の「田中」に該当する部分、および、氏名情報における名字部分の読み仮名の「タナカ」に該当する部分について、表示制御部５は、通常の表記と異なる第一の方法にて表示部６に表示させる。具体的には、表示制御部５は、該当する部分について文字を斜体としている。
【００２６】
一方、氏名情報における名前部分の読み仮名が「シカクロウ」である、ベッド番号「１０３−２」の氏名（漢字）「田中  □郎」、氏名（読み仮名）「タナカ  シカクロウ」、ベッド番号「２０４−３」の氏名（漢字）「田中  □郎」、氏名（読み仮名）「タナカ  シカクロウ」、ベッド番号「３０１−２」の氏名（漢字）「田中  □朗」、氏名（読み仮名）「タナカ  シカクロウ」の名字部分および名前部分の漢字、読み仮名に該当する部分について、表示制御部５は、通常の表記と異なり、第一の方法とも異なる第二の方法にて表示部６に表示させる。具体的には、表示制御部５は、該当する部分について下線を付している。
【００２７】
また、上述した第一のグループの下方には、氏名情報における名字部分の漢字の「佐藤」および氏名情報における名前部分の読み仮名の「サトウ」の姓である第二のグループとして、ベッド番号「１０１−２」の氏名（漢字）「佐藤  △子」、ベッド番号「１０４−４」の氏名（漢字）「佐藤  ×太」、ベッド番号「２０１−１」の氏名（漢字）「佐藤  ×太」の３名が表示される。
【００２８】
このとき、氏名情報における名字部分の漢字の「佐藤」に該当する部分、および、氏名情報における名字部分の読み仮名の「サトウ」に該当する部分について、表示制御部５は、通常の表記と異なる第一の方法にて表示部６に表示させる。具体的には、表示制御部５は、該当する部分について文字を斜体としている。
【００２９】
一方、氏名情報における名前部分の読み仮名が「バツタ」である、ベッド番号「１０４−４」の氏名（漢字）「佐藤  ×太」、氏名（読み仮名）「サトウ  バツタ」、ベッド番号「２０１−１」の氏名（漢字）「佐藤  ×太」、氏名（読み仮名）「サトウ  バツタ」の名字部分および名前部分の漢字、読み仮名に該当する部分について、表示制御部５は、通常の表記と異なり、第一の方法とも異なる第二の方法にて表示部６に表示させる。具体的には、表示制御部５は、該当する部分について下線を付している。
【００３０】
以上詳しく説明したように、本実施形態によれば、複数の患者を識別するための患者識別情報に関連付けて、患者の氏名の漢字および患者の氏名の読み仮名を示す氏名情報を患者の名字部分および名前部分に分割して記憶しておき、複数の患者のうち、患者の氏名の名字部分の漢字および読み仮名の少なくとも一方が一致する患者の氏名の名字部分を通常と異なる第一の方法で表示し、患者の氏名の名字部分および名前部分の漢字および読み仮名の少なくとも一方が一致する患者の氏名の名字部分および名前部分を通常と異なる第二の方法で表示するとともに、名字部分が一致する氏名情報を並べて表示するようにしている。
【００３１】
上記のように構成した本発明によれば、同姓の患者の氏名情報および同姓同名の患者の氏名情報が同姓、同姓同名表示欄に並べて表示部６に表示されるので、同姓表示欄と同姓同名表示欄を別々に設けた場合と比較して、表示される氏名情報を重複させないようにすることができ、同姓同名の患者の数だけ、表示される氏名情報を増やさないようにすることができる。
【００３２】
また、同姓の患者の氏名情報の名字部分（漢字および読み仮名）が第一の方法で表示部６に表示され、同姓同名の患者の氏名情報の名字部分および名前部分（漢字および読み仮名）が第二の方法で表示部６に表示されるので、複数の同姓患者が存在する場合に、ある患者について同姓同名の患者が存在するときでも、同姓の患者と同姓同名の患者の氏名とがまとめて表示されるので、他の患者の氏名が混在して見難くなることがなくなり、表示部６に表示される同姓、同姓同名表示欄を見易くすることができる。
【００３３】
なお、前述した実施形態では、同姓、同姓同名表示欄に、氏名情報の読み仮名を表示するようにしているが、これに限定されない。例えば、氏名情報の漢字のみを表示し、読み仮名を表示しないようにしても良い。
【００３４】
また、前述した実施形態では、第一の方法として文字を斜体とし、第二の方法として文字に下線を付すようにしているが、これに限定されない。例えば、第一の方法として文字に下線を付し、第二の方法として文字を斜体とするようにしても良い。また、第一の方法または第二の方法として、文字の色を通常と異ならせたり、文字を線で囲んだりするようにしても良い。
【００３５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３６】
１    氏名表示装置
２    制御部
３    インターフェース
４    患者情報記憶部
５    表示制御部
６    表示部
【図１】
0005843317.tif 000002
【図２】
0005843317.tif 000003
【図３】
0005843317.tif 000004